(57)【要約】【課題】  基板に対して液処理を行った後、基板を非回転で洗浄するにあたり、短時間で基板を洗浄することのできる基板処理装置及びその方法を提供すること。また高い洗浄効率を得るための条件出しを容易に行うこと。【解決手段】  処理液により処理した後の基板に対し、この基板の有効領域の幅と同じか又はこの幅以上に亘って形成された吐出口を有するリンスノズル４Ａ〜４Ｃをなす第１の洗浄液ノズル、第２の洗浄液ノズルから各々洗浄液であるリンス液を吐出すると共に、先ず第１の洗浄液ノズルを基板の一端から他端に亘って移動させ、この第１の洗浄液ノズルに続いて基板の一端から他端の長さよりも短い間隔をおいて第２の洗浄液ノズルを基板の一端から他端に亘って移動させる構成とする。この場合、第２の洗浄液ノズルの移動開始の適切なタイミングで速やかに行うことができるので、短時間に洗浄を行うことができ、高い洗浄効率を得ることができる。【選択図】      図１
2005347326.tif 000002
【特許請求の範囲】
【請求項１】
基板を水平に保持する工程と、
この基板の表面に処理液を供給して所定の処理を行う工程と、
この所定の処理の後、基板の有効領域の幅と同じか又はこの幅以上に亘って形成された第１の洗浄液ノズルの吐出口から洗浄液を吐出すると共に当該第１の洗浄液ノズルを基板の一端から他端に亘って移動させる工程と、
次いで、基板の有効領域の幅と同じか又はこの幅以上に亘って形成された第２の洗浄液ノズルの吐出口から洗浄液を吐出すると共に、前記第１の洗浄液ノズルに続いて基板の一端から他端の長さよりも短い間隔をおいて当該第２の洗浄液ノズルを基板の一端から他端に亘って移動させる工程と、を含むことを特徴とする基板処理方法。
【請求項２】
基板の有効領域の幅と同じか又はこの幅以上に亘って形成された第３の洗浄液ノズルの吐出口から洗浄液を吐出すると共に、前記第２の洗浄液ノズルに続いて基板の長さよりも短い間隔をおいて当該第３の洗浄液ノズルを基板の一端から他端に亘って移動させる工程と、を含むことを特徴とする請求項１記載の基板処理方法。
【請求項３】
前記各々の洗浄液ノズルは、互いに種類、吐出流速及び温度のうち少なくとも一つが異なる洗浄液を吐出することを特徴とする請求項１又は２記載の基板処理方法。
【請求項４】
一の洗浄液ノズルは、酸化性成分を含む洗浄液を吐出するものであることを特徴とする請求項３記載の基板処理方法。
【請求項５】
一の洗浄液ノズルは、他の洗浄液ノズルから吐出される洗浄液のｐＨの異なる洗浄液を吐出するものであることを特徴とする請求項３記載の基板処理方法。
【請求項６】
基板の他端を通過した第１の洗浄液ノズルを基板の一端側に戻す工程を有し、この第１の洗浄液ノズルは前記第３の洗浄液ノズルを兼用することを特徴とする請求項２ないし５のいずれか一つに記載の基板処理方法。
【請求項７】
各洗浄液ノズルにより基板上への洗浄液の供給を終了した後、吸引ノズルを基板の一端から他端に向かって移動させることにより基板上の洗浄液を吸引する工程を含むことを特徴とする請求項１ないし６のいずれか一つに記載の基板処理方法。
【請求項８】
基板の表面に所定の処理液を供給して当該基板に対し所定の処理を行う基板処理装置において、
基板を水平に保持する基板保持部と、
この基板保持部に保持され、前記処理液により所定の処理がされた後の基板の表面に洗浄液を供給するための基板の有効領域の幅と同じか又はこの幅よりも長い洗浄液吐出口を有する第１の洗浄液ノズルと、
この第１の洗浄液ノズルを前記基板の一端から他端に亘って移動させる第１の移動機構と、
前記基板の表面に洗浄液を供給するための基板の有効領域の幅と同じか又はこの幅よりも長い洗浄液吐出口を有する第２の洗浄液ノズルと、
前記第１の洗浄液ノズルに続いて基板の一端から他端の長さよりも短い所定の間隔をおいて前記第２の洗浄液ノズルを前記基板の一端から他端に亘って移動させる第２の移動機構と、を備えたことを特徴とする基板処理装置。
【請求項９】
基板の表面に洗浄液を供給するための基板の有効領域の幅と同じか又はこの幅よりも長い洗浄液吐出口を有する第３の洗浄液ノズルと、
前記第２の洗浄液ノズルに続いて基板の一端から他端の長さよりも短い所定の間隔をおいて前記第３の洗浄液ノズルを前記基板の一端から他端に亘って移動させる第３の移動機構と、を備えたことを特徴とする請求項８記載の基板処理装置。
【請求項１０】
前記各々の洗浄液ノズルは、互いに種類、吐出圧及び温度のうち少なくとも一つが異なる洗浄液を吐出することを特徴とする請求項８又は９記載の基板処理装置。
【請求項１１】
一の洗浄液ノズルは、酸化性成分を含む洗浄液を吐出するものであることを特徴とする請求項１０記載の基板処理装置。
【請求項１２】
一の洗浄液ノズルは、他の洗浄液ノズルから吐出される洗浄液のｐＨの異なる洗浄液を吐出するものであることを特徴とする請求項１０記載の基板処理装置。
【請求項１３】
基板の他端を通過した第１の洗浄液ノズルを基板の一端側に戻す手段を有し、第１の洗浄液ノズルは前記第３の洗浄液ノズルを兼用することを特徴とする請求項８ないし１２のいずれか一つに記載の基板処理装置。
【請求項１４】
前記各々の洗浄液ノズルには液垂れ抑制手段が設けられたことを特徴とする請求項１３記載の基板処理装置。
【請求項１５】
前記洗浄液により洗浄された後の基板の表面にある洗浄液を吸引するための基板の有効領域の幅と同じか又はこの幅よりも長い吸引口を有する吸引ノズルと、
この吸引ノズルを前記基板の一端から他端に亘って移動させる移動機構と、を備えたことを特徴とする請求項８ないし１４のいずれか一つに記載の基板処理装置。
【発明の詳細な説明】
【技術分野】
【０００１】
本発明は、例えば表面にレジストを塗布して露光した後の基板に対して、例えば現像液などの処理液を供給して所定の処理をする基板処理方法及び基板処理装置に関する。
【背景技術】
【０００２】
従来、半導体製造工程の一つであるフォトレジスト工程においては、例えば半導体ウエハ（以下、「ウエハ」という）の表面に薄膜状にレジストを塗布し、露光により所定の回路パターンを転写した後、処理液である現像液を供給して現像することにより当該ウエハの表面にマスクパターンを形成している。このような処理は、一般にレジストの塗布・現像を行う塗布・現像装置に、露光装置を接続したシステムを用いて行われる。
【０００３】
従来の基板処理の一つである現像処理は以下のように行われる（例えば、特許文献１参照。）。先ず、例えば図１４（ａ）に示すように、ウエハＷを鉛直軸回りに回転可能なスピンチャック１に水平姿勢にウエハＷを保持した状態にて、例えばウエハＷの直径と同じ長さの直線状の現像液吐出口を備えた現像液ノズル１１を表面から僅かに浮かせてスライド移動（スキャン）させながら現像液Ｄを供給し、ウエハＷを現像する。続いて、例えば図１４（ｂ）に示すように、ウエハＷを鉛直軸回りに回転させると共に、リンスノズル１２からウエハＷの表面中央部にリンス液Ｒ例えば純水を供給し、回転するウエハＷの遠心力の作用によりリンス液ＲをウエハＷの表面全体に広げて洗浄する。その後、例えば図１４（ｃ）に示すように、ウエハＷを高速回転させて洗浄液を振り飛ばすスピン乾燥が行われる。
【０００４】
【特許文献１】特開２００１−５４７５７号公報（段落００２８）
【発明の開示】
【発明が解決しようとする課題】
【０００５】
しかしながら上述の洗浄手法には以下のような問題があった。即ち、ウエハＷを回転させてその遠心力で洗浄液を広げて洗浄を行っているので洗浄効率は高いが、ウエハＷが大型化してくると、中央部と周縁部との間で回転速度に差が生じてしまい洗浄及び乾燥が面内で不均一となる場合がある。また回転速度の大きい周縁部ではパターンの損傷などの現像欠陥が起きる懸念がある。更にウエハＷを高速回転させるための回動機構が大型化してしまい、例えばユニット化した現像装置を積層して塗布・現像装置に組み込むのが困難になる場合がある。
【０００６】
そのためウエハＷをスピンさせないで洗浄する手法の検討が進められているが、例えばウエハＷの直径と同じ長さの直線状の洗浄液吐出口を備えた洗浄液ノズルをウエハＷの一端から他端に亘ってスキャンして洗浄した場合、１回のスキャンでは例えばレジストパターンの谷間の底部にあるレジスト溶解成分を充分に除去することができない場合があり、レジスト溶解成分を残してしまうと結果として例えばキラー欠陥と呼ばれる現像欠陥となることがある。よって、洗浄液ノズルを更に他端から一端に亘ってスキャンさせるか、あるいは洗浄液ノズルを一旦ウエハＷの一端側に戻してから再度他端に向かってスキャンさせるといったことが行われている。しかし、このように複数回のスキャンを行う場合、１本の洗浄液ノズルでは１回目のスキャンを終えなければ２回目のスキャンを開始することができないため、この２回目のスキャン開始のタイミングが遅れる分において洗浄処理時間が長くなってウエハＷ処理のスループットが低下する場合がある。
【０００７】
本発明はこのような事情に基づいてなされたものであり、その目的は、基板に対して液処理を行った後、基板を非回転で洗浄するにあたり、短時間で基板を洗浄することのできる基板処理方法及び基板処理装置を提供することにある。また他の目的は、高い洗浄効率を得るための条件出しを容易に行うことにある。
【課題を解決するための手段】
【０００８】
本発明の基板処理方法は、基板を水平に保持する工程と、
この基板の表面に処理液を供給して所定の処理を行う工程と、
この所定の処理の後、基板の有効領域の幅と同じか又はこの幅以上に亘って形成された第１の洗浄液ノズルの吐出口から洗浄液を吐出すると共に当該第１の洗浄液ノズルを基板の一端から他端に亘って移動させる工程と、
次いで、基板の有効領域の幅と同じか又はこの幅以上に亘って形成された第２の洗浄液ノズルの吐出口から洗浄液を吐出すると共に、前記第１の洗浄液ノズルに続いて基板の一端から他端の長さよりも短い間隔をおいて当該第２の洗浄液ノズルを基板の一端から他端に亘って移動させる工程と、を含むことを特徴とする。
【０００９】
前記基板の有効領域の幅と同じか又はこの幅以上に亘って形成された第３の洗浄液ノズルの吐出口から洗浄液を吐出すると共に、前記第２の洗浄液ノズルに続いて基板の長さよりも短い間隔をおいて当該第３の洗浄液ノズルを基板の一端から他端に亘って移動させる工程と、を含むようにしてもよい。更に、前記各々の洗浄液ノズルは、互いに種類、吐出流速及び温度のうち少なくとも一つが異なる洗浄液を吐出するようにしてもよい。この場合、一の洗浄液ノズルは、酸化性成分を含む洗浄液を吐出するものであってもよい。更には、基板の他端を通過した第１の洗浄液ノズルを基板の一端側に戻す工程を有し、この第１の洗浄液ノズルは前記第３の洗浄液ノズルを兼用するようにしてもよい。更にまた、各洗浄液ノズルにより基板上への洗浄液の供給を終了した後、吸引ノズルを基板の一端から他端に向かって移動させることにより基板上の洗浄液を吸引する工程を含むようにしてもよい。
【００１０】
本発明の基板処理装置は、基板の表面に所定の処理液を供給して当該基板に対し所定の処理を行う基板処理装置において、
基板を水平に保持する基板保持部と、
この基板保持部に保持され、前記処理液により所定の処理がされた後の基板の表面に洗浄液を供給するための基板の有効領域の幅と同じか又はこの幅よりも長い洗浄液吐出口を有する第１の洗浄液ノズルと、
この第１の洗浄液ノズルを前記基板の一端から他端に亘って移動させる第１の移動機構と、
前記基板の表面に洗浄液を供給するための基板の有効領域の幅と同じか又はこの幅よりも長い洗浄液吐出口を有する第２の洗浄液ノズルと、
前記第１の洗浄液ノズルに続いて基板の一端から他端の長さよりも短い所定の間隔をおいて前記第２の洗浄液ノズルを前記基板の一端から他端に亘って移動させる第２の移動機構と、を備えたことを特徴とする。
【００１１】
前記基板の表面に洗浄液を供給するための基板の有効領域の幅と同じか又はこの幅よりも長い洗浄液吐出口を有する第３の洗浄液ノズルと、
前記第２の洗浄液ノズルに続いて基板の一端から他端の長さよりも短い所定の間隔をおいて前記第３の洗浄液ノズルを前記基板の一端から他端に亘って移動させる第３の移動機構と、を備えた構成であってもよい。また前記各々の洗浄液ノズルは、互いに種類、吐出圧及び温度のうち少なくとも一つが異なる洗浄液を吐出する構成であってもよく、この場合、一の洗浄液ノズルは、酸化性成分を含む洗浄液を吐出するものであってもよい。
【００１２】
更に、基板の他端を通過した第１の洗浄液ノズルを基板の一端側に戻す手段を有し、第１の洗浄液ノズルは前記第３の洗浄液ノズルを兼用する構成であってもよく、この場合、前記各々の洗浄液ノズルには液垂れ抑制手段が設けられていてもよい。更にまた、前記洗浄液により洗浄された後の基板の表面にある洗浄液を吸引するための基板の有効領域の幅と同じか又はこの幅よりも長い吸引口を有する吸引ノズルと、この吸引ノズルを前記基板の一端から他端に亘って移動させる移動機構と、を備えた構成であってもよい。
【発明の効果】
【００１３】
本発明によれば、所定の処理液により所定の処理が行われた基板に対して、基板を回転させずに洗浄するにあたり、洗浄液を吐出する第１の洗浄液ノズルを基板の一端から他端に亘ってスキャンさせると共に、当該第１の洗浄ノズルに続いて基板の長さよりも短い所定の間隔をおいて洗浄液を吐出する第２の洗浄液ノズルを基板の一端から他端に亘ってスキャンさせる構成とすることにより、１回目のスキャンを終える前に２回目のスキャンを開始することができるので、短時間で基板の洗浄をすることができる。従って、基板を非回転で洗浄するシステムを実現することができ、基板の表面に遠心力による大きな液流を発生させずに済むので、基板の表面に対する悪影響例えば回路パターンの損傷などを避けることができる。更に、高い洗浄効率を得るための基板に合わせた最適なノズル間隔の調整が容易であり、また例えば洗浄液の吐出流量と組み合わせた条件出しが容易である。
【発明を実施するための最良の形態】
【００１４】
本発明の実施の形態に係る基板処理装置について図１及び図２を参照しながら以下に説明するが、ここでは処理液の一つである現像液を基板に供給して現像する現像装置を一例に挙げて説明する。図中２は基板例えばウエハＷを水平姿勢に保持するための基板保持部であるバキュームチャックである。このバキュームチャック２の表面にはウエハＷの裏面側中央部を吸引吸着するための図示しないバキューム孔が設けられている。このバキューム孔は、図示は省略するが、吸引路を介して吸引手段例えば吸引ポンプと接続されており、当該吸引ポンプによりバキューム孔を負圧にすることによりバキュームチャック２の表面にウエハＷの裏面が吸引吸着されるように構成されている。
【００１５】
前記バキュームチャック２の表面に保持されたウエハＷの側方及び下方を囲むようにして液受け部をなす矩形のカップ体２１が設けられており、このカップ体２１の底部にはウエハＷ表面からこぼれ落ちた現像液やリンス液などのドレインを排出するための排出口２２が設けられている。またウエハＷの裏面側周縁部と隙間をあけて対向する裏面洗浄部２３が全周に亘って設けられており、この裏面洗浄部２３の上端面にはウエハＷの裏面側周縁部にリンス液例えば純水を供給するための吐出口２４が例えば全周に亘って形成され、更に当該吐出口２４の例えば外側にはウエハＷに供給されたリンス液を吸引するための吸引口２５が例えば全周に亘って形成されている。吐出口２４は供給路例えば配管を介して図示しないリンス液の供給源と接続されており、また吸引口２５は吸引路例えば配管を介して図示しない吸引手段と接続されている。
【００１６】
また前記裏面洗浄部２３の内側にはカップ体２１の底部に形成された貫通孔を介して昇降自在に設けられ、例えば装置の外部から進入してくるウエハ搬送手段との間でウエハＷの受け渡しをするための例えば３本の基板支持ピン２６が設けられている。各基板支持ピン２６は共通のベース部材２７により連結されており、更にベース部材２７は昇降部２８と接続されている。そして昇降部２８の昇降作用により基板支持ピン２６はウエハＷを裏面側から支持した状態で昇降可能なように構成されている。
【００１７】
またバキュームチャック２に保持されたウエハＷの表面に処理液である現像液を供給するための、ウエハＷの有効領域（デバイス形成領域）の幅と同じか又はこの幅よりも長い直線状の吐出口３０を有する進退自在且つ昇降自在な現像液ノズル３がウエハＷの表面と対向して設けられている。前記直線状の吐出口３０はスリット状に形成することもあり、また複数の細径の吐出孔をノズルの長手方向に並べて形成することもある。この現像液ノズル３は供給路３１例えば配管を介して現像液の供給源３２と接続されており、その途中には図示しない流量調整部が設けられている。吐出口３０がスリット状に形成された現像液ノズル３の一例を図３を用いて詳しく説明すると、吐出口３０は内部に形成された液貯留部３３と連通しており、その途中には長さ方向において均一に現像液を吐出するための干渉棒３４が内壁面と隙間をあけて設けられている。更に液貯留部３４は供給口３５と連通しており、この供給口３５に前記供給路３１が接続されている。
【００１８】
更に、例えば現像後のウエハＷの表面に洗浄液であるリンス液例えば純水を供給するための、各々が独立して進退自在且つ昇降自在な複数の洗浄液ノズルである例えば第１のリンスノズル、第２のリンスノズル及び第３のリンスノズルをなす３本のリンスノズル４Ａ（４Ｂ，４Ｃ）がウエハＷの表面と対向して設けられている。これら各リンスノズル４Ａ（４Ｂ，４Ｃ）は例えば互いに同じ形状に構成されており、ウエハＷの有効領域の幅と同じか又はこの幅よりも長い直線状の吐出口４０Ａ（４０Ｂ，４０Ｃ）を有している。前記直線状の吐出口４０Ａ（４０Ｂ，４０Ｃ）はスリット状に形成することもあり、また複数の細径の吐出孔をノズルの長手方向に並べて形成することもある。更にリンスノズル４Ａ（４Ｂ，４Ｃ）は供給路４１Ａ（４１Ｂ，４１Ｃ）例えば配管を介してリンス液の供給源４２Ａ（４２Ｂ，４２Ｃ）と夫々接続されており、その途中には図示しない流量調整部が夫々設けられている。
【００１９】
ここで、吐出口４０Ａ（４０Ｂ，４０Ｃ）がスリット状に形成されたリンスノズル４Ａ（４Ｂ，４Ｃ）の一例を図４を用いて詳しく説明すると、吐出口４０Ａ（４０Ｂ，４０Ｃ）は内部に形成された液貯留部４３Ａ（４３Ｂ，４３Ｃ）と連通しており、その途中には長さ方向において均一にリンス液を吐出するための干渉棒４４Ａ（４４Ｂ，４４Ｃ）が内壁面と隙間をあけて設けられている。更に液貯留部４３Ａ（４３Ｂ，４３Ｃ）は供給口４５Ａ（４５Ｂ，４５Ｃ）と連通しており、この供給口４５Ａ（４５Ｂ，４５Ｃ）に前記供給路４１Ａ（４１Ｂ，４１Ｃ）の一端が接続されている。
【００２０】
また吐出口４０Ａ（４０Ｂ，４０Ｃ）がスリット状に形成されたリンスノズル４Ａ（４Ｂ，４Ｃ）の他の例として、例えば図５に示すように、干渉棒４４Ａ（４４Ｂ，４４Ｃ）を有しない構成とすることもある。その他、図４に記載のリンスノズル４Ａ（４Ｂ，４Ｃ）と同じ構成のところについては同じ符号を付して説明を省略する。本発明においては図４及び図５に記載のリンスノズルのいずれを用いてもよい。この場合、図４記載のリンスノズルは、干渉棒４４Ａ（４４Ｂ，４４Ｃ）を有することにより、吐出されたリンス液はウエハＷへの衝突圧が小さく且つ現像液とリンス液との置換効率が高い点で有利である。一方、図５記載のリンスノズルはリンス液のウエハＷへの衝突圧が大きく、そのためレジスト溶解成分の除去作用が大きいので、洗浄効率が高い点で有利である。なお、図４及び図５記載のリンスノズルの吐出口は、スリット状に代えて複数の細径の吐出孔を長さ方向に並べて形成してもよい。
【００２１】
説明を図１及び図２に戻すと、前記リンスノズル４Ａ（４Ｂ，４Ｃ）によりウエハＷ表面に供給されたリンス液を吸引除去することによりウエハＷを乾燥させるための進退自在且つ昇降自在な吸引ノズル５がウエハＷの表面と対向して設けられている。この吸引ノズル５は例えば上記現像液ノズル３と同じ形状に構成されており、ウエハＷの有効領域の幅と同じか、又はこの幅よりも長い直線状の吸引口５０を有している。但し、必ずしも現像液ノズル３と同じ形状にする必要はなく、例えば進行方向に向かって湾曲する馬蹄形又はＶ字に吸引口５０を形成してもよく、あるいは複数例えば２本の吸引口５０を前後方向に並べるようにしてもよい。更には、ノズルの長さ方向において吐出口５０を例えば３分割し、これら分割した吐出口５０のうち中央部にある吐出口５０を両端部側にある吐出口５０よりも前方側に配置するようにしてもよい。吸引ノズル５は吸引路５１例えば配管を介して吸引手段５２例えばエジェクタや吸引ポンプなど接続されており、その途中には図示しない吸引圧調整部が設けられている。
【００２２】
上述の現像液ノズル３、リンズノズル４Ａ（４Ｂ，４Ｃ）及び吸引ノズル５は、ノズルアーム６，６１Ａ（６１Ｂ，６１Ｃ），６２により各々独立して支持されており、このノズルアーム６，６１Ａ（６１Ｂ，６１Ｃ），６２の基端側は移動基体６３，６４Ａ（６４Ｂ，６４Ｃ），６５と夫々接続されている（図１参照）。更に、各々の移動基体６３，６４Ａ（６４Ｂ，６４Ｃ），６５は図示しない昇降機構を備えており、これにより現像液ノズル３，リンスノズル４Ａ（４Ｂ，４Ｃ）及び吸引ノズル５を各々独立して昇降可能なように構成されている。また移動基体６３，６５及び移動基体６４Ａ（６４Ｂ，６４Ｃ）は、バキュームチャック２上のウエハＷのＹ方向に伸びる直径と並んで伸びるガイドレール６６，６７により夫々支持されており、図示しない駆動機構により各々独立してスライド移動可能なように構成されている。なお、図１ではガイドレール６６で移動基体６３，６５を支持し、ガイドレール６７で移動基体６４Ａ（６４Ｂ，６４Ｃ）を支持した構成を記載しているが、各々の移動基体６３，６４Ａ（６４Ｂ，６４Ｃ），６５に対して専用のガイドレールを設けた構成とすることもある。
【００２３】
更に上述の現像装置は図示しない制御部を備えており、この制御部は上述のバキューム孔を負圧にする吸引ポンプ、昇降部２８、現像液及びリンス液の流量調整部、吸引ノズル５の吸引圧調整部、移動基体６３，６４Ａ（６４Ｂ，６４Ｃ），６５などの動作を制御する機能を有している。更に、当該制御部は、詳しくは後述するウエハＷの洗浄工程において、第１のリンスノズル、第２のリンスノズル、第３のリンスノズルの順にこれらリンスノズルをウエハＷの一端から他端に亘ってスキャンさせる際に、第１のリンスノズルと第２のリンスノズルとの間隔及び第２のリンスノズルと第３のリンスノズルとの間隔が夫々ウエハＷの直径（基板の長さに相当）よりも短い所定の間隔、好ましくは例えば４０ｍｍ以上であって且つウエハＷの直径よりも短い間隔となるように制御する機能を有している。具体的には、各リンスノズル４Ａ〜４Ｃのスキャン開始のタイミング及びスキャン時の移動基体６４Ａ（６４Ｂ，６４Ｃ）の移動速度を制御する機能を有している。
【００２４】
なお第１のリンスノズルと第２のリンスノズルとの間隔及び第２のリンスノズルと第３のリンスノズルとの間隔の設定値は必ずしも同じにする必要はなく、既述の所定の範囲内であれば例えば第１のリンスノズルと第２のリンスノズルとの間隔を第２のリンスノズルと第３のリンスノズルとの間隔よりも狭くしてもよく、あるいは反対に第２のリンスノズルと第３のリンスノズルとの間隔よりも広くするようにしてもよい。
【００２５】
続いて、例えば表面にレジストを塗布し、露光した後の基板例えばウエハＷを上述の現像装置を用いて現像する工程について図６を参照しながら説明する。先ず、各ノズル３，４Ａ〜４Ｃ，５がカップ体２１の外側の待機位置にある状態にて、図示しないウエハ搬送手段により図示しないウエハ搬送口を介して装置内にウエハＷが搬入され、バキュームチャック２の上方位置に案内される。次いで、ウエハ搬送手段と基板支持ピン２６との協働作用によりウエハＷはバキュームチャック２に受け渡され、水平姿勢に吸着保持される。
【００２６】
その後、ウエハＷの表面から例えば０．１〜５ｍｍ浮かせた位置であって且つウエハＷの一端縁の僅かに外側の吐出開始位置に現像液ノズル３が配置され、例えば図６（ａ）に示すように、吐出口３０から現像液Ｄを吐出すると共に当該現像液ノズル３をウエハＷの一端から他端に向かってスライド移動（スキャン）させる。これによりウエハＷの表面に現像液Ｄの液膜を形成する。この現像液Ｄの液膜が形成された状態を例えば所定の時間保持して静止現像が行われることにより、レジストの一部が現像液に溶解し、残ったレジストによりマスクパターンが形成される。なお、ウエハＷの他端を通過した現像液ノズル３は現像液の吐出を停止すると共に更に前方側に移動してから待機する。
【００２７】
続いて、第１のリンスノズルであるリンスノズル４Ａが既述の吐出開始位置に配置され、例えば図６（ｂ）に示すように、その吐出口４０Ａから所定の流量例えば４リットル／分でリンス液Ｒを吐出すると共に当該リンスノズル４ＡをウエハＷの一端から他端に向かってスキャンさせる。これによりウエハＷの表面に付着した現像液Ｄがリンス液Ｒに置換されて洗浄されていく。更に、例えば図６（ｃ）に示すように、前記リンスノズル４ＡがウエハＷの他端に向かってスキャンしている間に、その吐出口４０Ｂから前記所定の流量でリンス液Ｒを吐出すると共に前記リンスノズル４Ａに続いて既述した所定の間隔Ｘをあけて第２のリンスノズルであるリンスノズル４Ｂをスキャンさせる。そして更に、例えば図６（ｄ）に示すように、リンスノズル４ＢがウエハＷの他端に向かってスキャンしている間に、その吐出口４０Ｃから前記所定の流量でリンス液Ｒを吐出すると共に前記リンスノズル４Ｂに続いて既述した所定の間隔Ｘをあけて第３のリンスノズルであるリンスノズル４Ｃをスキャンさせる。しかる後、ウエハＷの他端を通過した各々のリンスノズル４Ａ〜４Ｃはリンス液Ｒの吐出を停止すると共にウエハＷの他端側の更に前方に移動して夫々待機する。
【００２８】
また上記リンスノズル４Ａ〜４Ｃによる洗浄と共に、あるいはリンスノズル４Ａ〜４Ｃによる洗浄後に、吐出口２４からウエハＷの裏面側周縁部に向かってリンス液を吐出すると共に、ウエハＷに供給されたリンス液を吸引口２５から吸引する。これによりウエハＷの裏面側周縁部が洗浄される。
【００２９】
続いて、ウエハＷの表面から例えば０．０５〜５ｍｍ浮かせた位置であって且つウエハＷの一端縁の僅かに外側の吸引開始位置に吸引ノズル５が配置される。そして吸引手段５２により吸引ノズル５の吸引口５０を負圧状態にすると共に、例えば図６（ｅ）に示すように、当該吸引ノズル５をウエハＷの一端から他端に向かってスキャンさせる。ウエハＷの表面に付着しているリンス液Ｒは当該吸引ノズル５の吸引口５０から吸引され、これによりウエハＷは乾燥される。なお、１回のスキャンでは吸引が充分でない場合など、その吸引具合によっては吸引ノズル３６をウエハＷの他端から一端に向かってスキャンさせるようにしてもよく、更にはこの往復動作を複数回例えば２〜３回繰り返すようにしてもよい。その後、吸引ノズル５は吸引動作を停止すると共にウエハＷの他端側の更に前方に移動して待機する。しかる後、バキュームチャック２の吸引動作が停止された後、基板支持ピン２６を介してバキュームチャック２からウエハ搬送手段にウエハＷが受け渡され、ウエハＷは装置の外部に搬出される。
【００３０】
上述の実施の形態によれば、第１のリンスノズルをスキャンしている間に、この第１のリンスノズルに続いてウエハＷの直径よりも短い所定の間隔をおいて第２のリンスノズルのスキャンを行い、更にこの第２のリンスノズルに続いてウエハＷの直径よりも短い所定の間隔をおいて第３のリンスノズルのスキャンを行う構成とすることにより、２回目及び３回目のスキャン開始のタイミングを早くするできるので、その分において洗浄時間の短縮化を図ることができる。従って、ウエハＷを非回転で洗浄するシステムを実現することができ、ウエハＷの表面に遠心力による大きな液流を発生させずに済むので、ウエハＷの表面に対する悪影響例えば回路パターンの損傷などを避けることができる。更には、第２のリンスノズル及び第３のリンスノズルのスキャン開始のタイミング及びスキャン速度を変えることによりノズル間の間隔を調整できるので、例えばウエハＷに合わせた最適なスキャン間隔に調整するのが簡単であり、また流量調整と組み合わせて洗浄条件の条件出しを簡単に行うことができる。
【００３１】
更に上述の実施の形態によれば、第１のリンスノズル、第２のリンスノズル及び第３のリンスノズルの間隔をウエハＷの直径（基板の幅に相当）よりも短く、且つ、好ましくは４０ｍｍ以上に設定する構成とすれば、これら各ノズルから吐出されたリンス液の洗浄作用、詳しくはレジスト溶解成分の掻き出し作用が相俟ってその相乗効果により高い洗浄作用を得ることができる。つまり、例えば図７に模式的に示すように、吐出口４０Ａ〜４０Ｃから吐出されたリンス液ＲはウエハＷの表面にあたって向きを変えて横に広がるが、このとき前方のリンスノズル４Ａ（４Ｂ）と後方のリンスノズル４Ｂ（４Ｃ）との間にある領域では互いに対向する液流れがあり、吐出流速にもよるがスキャン間隔が狭すぎると対向する液流れが衝突して流速が弱くなり洗浄作用が低下する場合がある。このような理由から、スキャン間隔（ノズル間隔）は、後述する実施例からも明らかなように例えば４０ｍｍ以上に設定するのが好ましい。
【００３２】
ここで、上述の実施の形態においては、例えばレジストの特性（例えばレジストの種類、レジストの厚み、パターンの線幅及び密度）の情報と対応付けて第１のリンスノズルと第２のリンスノズルとの間隔及び第２のリンスノズルと第３のリンスノズルとの間隔の設定値を決める構成であってもよい。この場合であっても上述の場合と同様の効果を得ることができ、更に本例によればレジストの特性に応じて最適なノズル間隔を設定することができるので、よりきめの細かいノズル間隔の条件出しを行うことができる。これらの情報を図示しない上記制御部の備えた例えばコンピュータのメモリに記憶させておき、例えばロットの先頭にくるウエハＷを処理する前にメモリから情報を読み出してノズル間の間隔を決めるようにしてもよい。
【００３３】
更に、上述の実施の形態においては、リンスノズルは必ずしも３本設けなくともよく、例えば２本のリンスノズルにより第１のリンスノズル及び第２のリンスノズルを備えた構成であってもよい。
【００３４】
続いて本発明の基板処理装置の一つである現像装置の他の実施の形態について説明する。なお、第１のリンスノズル、第２のリンスノズル及び第３のリンスノズルに対し互いに異なる洗浄機能を割り当てたことを除いて、装置構成は図１及び図２の現像装置と同じである。具体的には、例えばｐＨが調整されたリンス液を吐出可能なリンスノズル（電位調整ノズル）、例えばその温度が高温例えば４０〜６０℃に調整されたリンス液を吐出可能なリンス液ノズル（高温リンス用ノズル）、例えば酸化性成分を含む液体例えばオゾン水を吐出可能なリンスノズル（酸化水用ノズル）、例えば吐出口４０Ａ（４０Ｂ，４０Ｃ）から高流速例えば６０００ｍｍ／秒でリンス液を吐出可能なリンスノズル（高流速ノズル）、例えば吐出口４０Ａ（４０Ｂ，４０Ｃ）から低流速例えば５０ｍｍ／秒でリンス液を吐出可能なリンスノズル（低流速ノズル）の中から選択したリンスノズルを第１のリンスノズル、第２のリンスノズル及び第３のリンスノズルとして割り当てた構成である。なお、同種の洗浄機能であってもその機能の程度が異なるリンスノズル、例えば互いに異なるｐＨを吐出可能なリンスノズル、高流速又は低流速の各々の範囲内で互いに異なる流速に設定されたリンスノズルなどを第１のリンスノズル、第２のリンスノズル及び第３のリンスノズルに割り当てることもある。即ち、第１のリンスノズル、第２のリンスノズル及び第３のリンスノズルは互いに種類及び／又は吐出流速の異なるリンス液をウエハＷに供給可能な構成である。
【００３５】
更に、上記各々のリンスノズルの有する洗浄機能について述べておく。前記電位制御用ノズルは、ｐＨを調整したリンス液例えばｐＨ１０のリンス液を供給することにより、スキャンしてウエハＷの表面にある現像液をリンス液で置換してく際にアルカリ性である現像液からのｐＨ変動幅を少なくしてレジスト溶解成分が電気的にウエハＷ表面に引っ張られて付着するのを抑制する機能を有している。高温リンス用ノズルは、例えば４０〜６０℃に温調されたリンス液を供給することにより、ウエハ表面に付着したレジスト欠陥微粒子を溶解させて除去する機能を有している。酸化水ノズルは、酸化性の高いリンス液例えばオゾン水を供給することにより、ウエハＷ表面に付着した比較的粒径の大きいレジスト欠陥微粒子を酸化して例えば炭酸ガスにすることにより、その粒径を小さくして例えばキラー欠陥と呼ばれる現像欠陥を少なくする機能を有している。
【００３６】
また高流速ノズルは、流速の高いリンス液をウエハＷ表面に衝突させることにより、例えばパターンの谷間にあるレジスト溶解成分を物理的に掻き出す洗浄機能を有している。またウエハＷと現像液との界面の置換効率、つまり垂直応力及びせん断応力の強化による浸透圧の促進及び溶解促進を高める機能を有している。低流速ノズルは、流速の低いリンス液を供給することによりウエハＷ表面にある液である現像液又は既に供給されたリンス液と現像液の混合液の界面を面内均一なｐＨに維持して欠陥の付着を防止する機能を有している。
【００３７】
ここで第１のリンスノズル、第２のリンスノズル及び第３のリンスノズルにどの様な洗浄機能を有するリンスノズルを割り当てるかは、例えばウエハＷに塗布されたレジストの特性（例えばレジストの種類、レジストの厚み、パターンの線幅及び密度）に応じて決められる。但し、どのような洗浄機能を有するリンスノズルを選択し、更に第１のリンスノズル、第２のリンスノズル及び第３のリンスノズルのいずれに洗浄機能を割り当てるか（つまり供給順序をどのようにするか）は、実際に実験を行って決めるのが好ましい。選択した洗浄機能の組み合わせ及び順序の一例として、第１のリンスノズルに電位調整ノズルを、第２のリンスノズルに高温リンス用ノズルを、第３のリンスノズルに高流速ノズルを夫々割り当てる例が挙げられる。
【００３８】
また、第１のリンスノズル、第２のリンスノズル及び第３のリンスノズルは必ずしも互いに同じ形状で構成する必要はなく、例えば既述の図４及び図５に記載の互いに形状の異なるリンスノズルを組み合わせた構成とすることもできる。具体的には、例えば図８に示すように、第１のリンスノズルに干渉棒４４を有する図４記載のリンスノズルを割り当て、第２のリンスノズル及び第３のリンスノズルに図５記載のリンスノズルを割り当てる例が一例として挙げられる。この場合、第１のリンスノズルによりソフトインパクトでウエハＷ上の現像液をリンス液で置換すると共に現像を停止した後、後続の第２のリンスノズル及び第３のリンスノズルの水流インパクトでレジスト溶解成分等を除去することができる。また更に、吐出口をスリット状にしたリンスノズルを第１のリンスノズル及び第３のリンスノズルに割り当て、複数の細径の吐出孔を長さ方向に並べて吐出口を形成したリンスノズルを第２のリンスノズルに割り当てるようにすることもできる。
【００３９】
上述の実施の形態によれば、互いに異なる洗浄機能を有する複数のリンスノズルを第１のリンスノズル、第２のリンスノズル及び第３のリンスノズルに割り当てた構成とすることにより、例えば配管内の置換やバルブの切り替えを行わなくとも速やかに２回目及び３回目のスキャンを開始することができるので、上述の場合と同様の効果を得ることができ。更に、本例によればレジストの特性に合った洗浄機能を有するリンスノズルを選択する構成とすることにより、より確実に高い洗浄効率を得ることができるので得策である。
【００４０】
更に、上述の実施の形態においては、既述した例えばレジストの特性に応じてノズル間隔の設定値を決める手法と組み合わせた構成とすれは、より確実にレジスト毎に高い洗浄効率でウエハＷの洗浄をすることができる。この場合、レジストの特性と対応付けた洗浄機能の組み合わせ及びノズル間隔の設定値を決めて、この情報を制御部の備えた例えばコンピュータのメモリに記憶させておき、例えばロットの先頭にくるウエハＷを処理する前にメモリから情報を読み出してノズル間の間隔を決めるようにしてもよい。
【００４１】
更に、上述の実施の形態においては、リンスノズルは必ずしも３本設けなくともよく、例えば２本のリンスノズルにより第１のリンスノズル及び第２のリンスノズルを備えた構成であってもよい。
【００４２】
続いて本発明の基板処理装置の一つである現像装置の更に他の実施の形態についで説明する。本実施例の現像装置は、第１のリンスノズルと第２のリンスノズルをいわば循環させて３回以上のスキャン洗浄を行う構成としたことを除いて図１及び図２記載の現像装置と装置構成は同じである。本例のリンスノズル４Ａ（４Ｂ）は、例えば図９（ａ）、（ｂ）に示すように、供給路４１の途中に設けられ、リンス液の吐出動作を停止した際に吐出口４０Ａ（４０Ｂ）からのリンス液の液垂れを抑制するための手段例えばサックバックバルブ７Ａ（７Ｂ）を有している。
【００４３】
このサックバックバルブ７Ａ（７Ｂ）は本体部をなす密閉容器７１Ａ（７１Ｂ）を備えており、この密閉容器７１Ａ（７１Ｂ）の内部には空間を上下に仕切る隔膜例えばダイヤフラム７２Ａ（７２Ｂ）が設けられている。ダイヤフラム７２Ａ（７２Ｂ）により区画された上方空間は気体貯留部７３Ａ（７３Ｂ）を形成し、また下方空間は液体貯留部７４Ａ（７４Ｂ）を形成しており、この液体貯留部７４Ａ（７４Ｂ）と供給路４１Ａ（４１Ｂ）とが連通している。一方、気体貯留部７３Ａ（７３Ｂ）にはダイヤフラム７２Ａ（７２Ｂ）の中央部を上方に向かって引っ張り挙げるための弾性部材７５Ａ（７５Ｂ）が設けられており、更に気体貯留部７３Ａ（７３Ｂ）内に気体例えば空気を供給して空気圧によりダイヤフラム７２Ａ（７２Ｂ）の中央部を下方に向かって押し下げるための、図示しない開閉機構を備えた気体通流口７６Ａ（７６Ｂ）が設けられている。
【００４４】
この場合、現像液ノズル３により現像液がウエハＷに供給されて静止現像がなされた後、先ず、気体貯留部７３Ａ、７３Ｂ内に気体通流口７６Ａ、７６Ｂを介して気体例えば空気を供給し、ダイヤフラム７２Ａ、７２Ｂを下方側に押し下げた状態で気体通流口７６Ａ、７６Ｂを閉じておき、この状態で現像液を吐出口４０Ａ、４０Ｂから僅かに吐出させて内部領域に現像液を満たしておく（図９（ａ）参照）。続いて、第１のリンスノズルであるリンスノズル４Ａを吐出開始位置に配置し、そして、例えば図１０に示すように、所定の吐出流量でリンス液Ｒを供給すると共に当該リンスノズル４ＡをウエハＷの一端から他端に亘ってスキャンする一方で、第２のリンスノズルであるリンスノズル４Ｂを吐出開始位置に配置し、そして、所定の吐出流量でリンス液Ｒを供給すると共に当該リンスノズル４ＢをウエハＷの一端から他端に亘ってスキャンする。
【００４５】
しかる後、リンスノズル４ＡはウエハＷの他端を通過した後、例えば図９（ｂ）に示すように、リンス液Ｒの吐出を停止すると共に気体通流口７６Ａの開閉機構を開くことにより、ダイヤフラム７２Ａが弾性部材７５Ａに引っ張られて液体貯留部７４の容積が大きくなり、これにより吐出口４０Ａまでに亘って満たされた現像液が引き戻される。そのため吐出口４０Ａからリンス液が液垂れするのが抑えられる。この状態でリンスノズル４Ａは後方から向かってくるリンスノズル４Ｂと干渉しない高さまで上昇し、このリンスノズル４Ｂの上方側を跨いでウエハＷの一端側に移動する。そして再度吐出開始位置に設定されて３回目のスキャン洗浄が行われる。更に、例えば洗浄具合によってはリンスノズル４Ｂにより４回目のスキャン洗浄が行われる。
【００４６】
上述の実施の形態によれば、２本のノズルを用いて３回以上のスキャンを行うことができるので、この例の場合も上述の場合と同様の効果を得ることができる。更に本例によれば、スキャン回数に応じた数のリンスノズルを有しない分、装置の占有面積を小さくすることができるので得策である。
【００４７】
本発明においては処理液は現像液に限られず、例えばウエハＷの表面に液層を形成して露光する液浸露光を行う前にレジストが塗布されたウエハＷの表面を浄液液例えば純水で洗浄し乾燥させる処理に適用することもできる。また処理する基板は半導体ウエハ以外の基板、例えばＬＣＤ基板、フォトマスク用レチクル基板であってもよい。
【００４８】
最後に本発明の基板処理装置の一つである上述の現像装置が組み込まれた塗布・現像装置の一例について図１１及び図１２を参照しながら簡単に説明する。図中Ｂ１は基板であるウエハＷが例えば１３枚密閉収納されたキャリアＣを搬入出するためのキャリア載置部であり、キャリアＣを複数個載置可能な載置部８０を備えたキャリアステーション８と、このキャリアステーション８から見て前方の壁面に設けられる開閉部８１と、開閉部８１を介してキャリアＣからウエハＷを取り出すための受け渡し手段Ａ１とが設けられている。
【００４９】
キャリア載置部Ｂ１の奥側には筐体８２にて周囲を囲まれる処理部Ｂ２が接続されており、この処理部Ｂ２には手前側から順に加熱・冷却系のユニットを多段化した棚ユニットＵ１，Ｕ２，Ｕ３と、後述する塗布・現像ユニットを含む各処理ユニット間のウエハＷの受け渡しを行うウエハ搬送手段である主搬送手段Ａ２，Ａ３とが交互に配列して設けられている。即ち、棚ユニットＵ１，Ｕ２，Ｕ３及び主搬送手段Ａ２、Ａ３は キャリア載置部Ｂ１側から見て前後一列に配列されると共に、各々の接続部位には図示しないウエハ搬送用の開口部が形成されており、ウエハＷは処理部Ｂ１内を一端側の棚ユニットＵ１から他端側の棚ユニットＵ３まで自由に移動できるようになっている。また主搬送手段Ａ２、Ａ３は、 キャリア載置部Ｂ１から見て前後方向に配置される棚ユニットＵ１，Ｕ２，Ｕ３側の一面部と、後述する例えば右側の液処理ユニットＵ４，Ｕ５側の一面部と、左側の一面をなす背面部とで構成される区画壁８３により囲まれる空間内に置かれている。また図中８４、８５は各ユニットで用いられる処理液の温度調節装置や温湿度調節用のダクト等を備えた温湿度調節ユニットである。
【００５０】
液処理ユニットＵ４，Ｕ５は、例えば図１２に示すように塗布液（レジスト液）や現像液といった薬液供給用のスペースをなす収納部８６の上に、塗布ユニットＣＯＴ、上述の現像装置をユニット化した現像ユニットＤＥＶ及び反射防止膜形成ユニットＢＡＲＣ等を複数段例えば５段に積層した構成とされている。また既述の棚ユニットＵ１，Ｕ２，Ｕ３は、液処理ユニットＵ４，Ｕ５にて行われる処理の前処理及び後処理を行うための各種ユニットを複数段例えば１０段に積層した構成とされており、その組み合わせはウエハＷを加熱（ベーク）する加熱ユニット、ウエハＷを冷却する冷却ユニット等が含まれる。
【００５１】
処理部Ｂ２における棚ユニットＵ３の奥側には、例えば第１の搬送室８７及び第２の搬送室８８からなるインターフェイス部Ｂ３を介して露光部Ｂ４が接続されている。インターフェイス部Ｂ３の内部には処理部Ｂ２と露光部Ｂ４との間でウエハＷの受け渡しを行うための２つの受け渡し手段Ａ４、Ａ５の他に、棚ユニットＵ６及びバッファキャリアＣ０が設けられている。
【００５２】
この装置におけるウエハの流れについて一例を示すと、先ず外部からウエハＷの収納されたキャリアＣが載置台８０に載置されると、開閉部８１と共にキャリアＣの蓋体が外されて受け渡し手段ＡＲ１によりウエハＷが取り出される。そしてウエハＷは棚ユニットＵ１の一段をなす受け渡しユニット（図示せず）を介して主搬送手段Ａ２へと受け渡され、棚ユニットＵ１〜Ｕ３内の一の棚にて、塗布処理の前処理として例えば反射防止膜形成処理、冷却処理が行われ、しかる後、塗布ユニットにてレジスト膜が形成されると、ウエハＷは棚ユニットＵ１〜Ｕ３の一の棚をなす加熱ユニットで加熱（ベーク処理）され、更に冷却された後棚ユニットＵ３の受け渡しユニットを経由してインターフェイス部Ｂ３へと搬入される。このインターフェイス部Ｂ３においてウエハＷは例えば受け渡し手段Ａ４→棚ユニットＵ６→受け渡し手段Ａ５という経路で露光部Ｂ４へ搬送され、露光が行われる。露光後、ウエハＷは逆の経路で主搬送手段Ａ２まで搬送され、現像ユニットＤＥＶにて現像されることでレジストマスクが形成される。しかる後ウエハＷは載置台８０上の元のキャリアＣへと戻される。
【実施例】
【００５３】
続いて本発明の効果を確認するために行った実施例について説明する。
（実施例１）
本例は、２本のリンスノズル４Ａ，４Ｂを用いて現像後のウエハＷを洗浄した実施例である。この実施例では各リンスノズル４Ａ，４Ｂの各々がウエハＷ表面にリンス液を供給している時間を「リンス時間」とし、このリンス時間を３秒、５秒及び１５秒に設定して夫々処理を行った。各リンス時間で洗浄した後のウエハＷを乾燥し、現像欠陥検出装置により現像欠陥数をカウントした結果を図１３に示す。現像欠陥数とは、ウエハＷ上に残ったレジスト微粒子等の異物や現像液の微細な液滴をカウントしたものである。
・ノズル間隔Ｘ（ノズルの中心位置の離間距離）；４０ｍｍ
・リンス液の吐出流量；４リットル／分
【００５４】
（実施例２）
本例は、ノズル間隔Ｘを２０ｍｍに設定したことを除いて実施例１と同じ処理を行った実施例である。現像欠陥数の結果を図１３に併せて示す。
【００５５】
（実施例３）
本例は、ノズル間隔Ｘを１０ｍｍに設定したことを除いて実施例１と同じ処理を行った実施例である。現像欠陥数の結果を図１３に併せて示す。
【００５６】
（比較例１）
本例は、１本のリンスノズルで洗浄したことを除いて実施例１と同じ処理を行った比較例である。
【００５７】
（実施例１〜３、比較例１の結果と考察）
図１３の結果から明らかなように、ある現像欠陥数を維持しようとした場合、実施例１のリンス時間を最も短く設定することができ、反対に比較例１のリンス時間を最も長く設定しなければならないことが分かる。発明の効果を分かりやすくするため仮に欠陥数１００のところでみると、各実施例において必要なリンス時間は、実施例１は５秒、実施例２は７．５秒、実施例３は８．７秒、比較例１は９．５秒となり、実施例１、実施例２、実施例３、比較例１の順にリンス時間を短く設定することができる。即ち、２本のリンスノズルを用いれば１本の場合と同等の洗浄効率を維持して洗浄時間の短縮化を図ることができることが確認された。更に、２本のリンスノズルで洗浄する場合にもノズル間隔Ｘを４０ｍｍとすれば、より確実に洗浄時間の短縮化を図ることができることが確認された。ノズル間隔Ｘを広くした方が欠陥数が少ないのは、既述のようにノズル間に形成される互いに向かい合う液流が衝突して洗浄作用が弱まったためと推測する。また更にノスル間隔Ｘを４０ｍｍに設定した実施例１は、リンス時間が５秒のときと１５秒のときの欠陥数の差が他の例に比べて小さいので、リンス時間の条件出しが他の例に比べて容易であると言える。
【図面の簡単な説明】
【００５８】
【図１】本発明の基板処理装置の実施の形態に係る現像装置を示す斜視図である。
【図２】上記現像装置の縦断面図である。
【図３】上記現像装置の現像液ノズルを示す説明図である。
【図４】上記現像装置のリンスノズルを示す説明図である。
【図５】上記現像装置のリンスノズルの他の例を示す説明図である。
【図６】上記現像装置を用いてウエハを現像する工程を示す説明図である。
【図７】上記現像装置のリンスノズルからウエハにリンス液を供給する様子を示す説明図である。
【図８】上記現像装置のリンスノズルからウエハにリンス液を供給する様子を示す説明図である。
【図９】本発明の基板処理装置の実施の形態に係る他の現像装置のリンスノズルを示す説明図である。
【図１０】上記他の現像装置を用いてウエハを処理する様子を示す説明図である。
【図１１】上記現像装置が組み込まれた塗布・現像装置を示す平面図である。
【図１２】上記塗布・現像装置の斜視図である。
【図１３】本発明の効果を確認するために行った実施例の結果を示す特性図である。
【図１４】従来の現像工程を示す説明図である。
【符号の説明】
【００５９】
Ｗ      ウエハ
２      バキュームチャック
３      現像液ノズル
４Ａ〜４Ｂ    リンスノズル
５      吸引ノズル
７      サックバックバルブ
【図１】
2005347326.tif 000003
【図２】
2005347326.tif 000004
【図３】
2005347326.tif 000005
【図４】
2005347326.tif 000006
【図５】
2005347326.tif 000007
【図６】
2005347326.tif 000008
【図７】
2005347326.tif 000009
【図８】
2005347326.tif 000010
【図９】
2005347326.tif 000011
【図１０】
2005347326.tif 000012
【図１１】
2005347326.tif 000013
【図１２】
2005347326.tif 000014
【図１３】
2005347326.tif 000015
【図１４】
2005347326.tif 000016